(57)【要約】【課題】  巻戻し紙を切り出すと後続者の摘みに適した規則的な切り口の摘み端が生じ、それを摘まむことで引き出し操作が容易であることはもちろん、後続者に都合よく摘み短片を次に残すことで好意と礼を尽くすことにもなり、これが使用者に順繰りに発生するトイレットペーパーホルダーを提供する。【解決手段】  トイレットペーパーのロールＰを回転自在に支持するホルダー本体１と、前記ロールから引き出したトイレットペーパーを切断する上向きの切刃１９と、切刃１９の後方でトイレットペーパーを押える押え部２６と、切刃１９と押え部２６との間に設けた高所片２５とを備え、高所片２５は、弾性材からなり、切刃１９の上端より上方に突出している。【選択図】      図２
2020179279.tif 000002
【特許請求の範囲】
【請求項１】
トイレットペーパーのロールを回転自在に支持するホルダー本体と、前記ロールから引き出したトイレットペーパーを切断する上向きの切刃と、切刃の後方でトイレットペーパーを押える押え部と、切刃と押え部との間に設けた高所片とを備え、高所片は、弾性材からなり、切刃の上端より上方に突出していることを特徴とするトイレットペーパーホルダー。
【発明の詳細な説明】
【技術分野】
【０００１】
この発明は、トイレットペーパー（紙ロールという）を繰り出しやすく設置するためにトイレにセットされるトイレットペーパーホルダーに関する。
【背景技術】
【０００２】
従来のトイレットペーパーホルダーは、一般的に、紙ロールを軸支する芯材を掛ける軸孔付きの両側板が突設されるホルダー本体と、その後端（背面板の上端）に開閉可能に取り付けられる上カバーとからなるもので、ホルダーをトイレ壁等にビス止めして使用される。
【０００３】
ホルダーに紙ロールを備えるには、芯材を両側板の軸孔に掛け止め、巻き戻し紙の摘み先が前垂れとなるようにセットされる。上カバーの前端は前垂れ紙の切刃となっているので、用を済ますと前垂れを所用分だけ引き出し、上カバーを押さえながら前垂れ紙を引き千切り使用される。しかし、この従来のホルダにはいくつかの問題点があった。
【発明の概要】
【発明が解決しようとする課題】
【０００４】
従来では、前垂れの巻戻し紙を引き千切ったときには、切刃に沿って切り口が残ることになる。そこで用便の次の後続者は、上カバーを持ち上げながらロールを回して切り口を引き出すことになるが、切り口が裏側に巻き込んでいたり、時には裏で付着していることがあり、そうなると、正常の前垂れの状態に戻すために面倒でも両手を使う必要もあった。逆に前垂れ紙が前に長く垂れ下がっていても、それが破れていることが多く見苦しかった。また、巻戻し紙を引き千切るときには、他方の手で上カバーを押さえ止める両手使いとなるため、身体が不自由な身障者や高齢者、子供達には適しなく親切さに欠けるという問題もあった。
【０００５】
この発明は、上記のような実情に鑑みて、巻戻し紙を切り出すと後続者の摘みに適した規則的な切り口の摘み端が生じ、それを摘まむことで引き出し操作が容易であることはもちろん、後続者に都合よく摘み短片を次に残すことで好意と礼を尽くすことにもなり、これが使用者に順繰りに発生するトイレットペーパーホルダーを提供することを課題とした。
【課題を解決するための手段】
【０００６】
上記の課題を達成するために請求項１記載の発明によるトイレットペーパーホルダーは、トイレットペーパーのロールを回転自在に支持するホルダー本体と、前記ロールから引き出したトイレットペーパーを切断する上向きの切刃と、切刃の後方でトイレットペーパーを押える押え部と、切刃と押え部との間に設けた高所片とを備え、高所片は、弾性材からなり、切刃の上端より上方に突出していることを特徴とする。
【発明の効果】
【０００７】
以上説明したように、この発明のトイレットペーパーホルダーによれば、巻戻し紙を切り出すと後続者の摘みに適した紙端が生じるから、それを摘まむ引き出し操作が容易であり、しかも、都合よく摘み短片を残すことで後続者に便宜と礼を尽くすことになり、使用者に順繰りに摘みが発生しトラブルもなく、殊に身障者や高齢者、子供達などには非常に好都合となるという優れた効果がある。
【図面の簡単な説明】
【０００８】
【図１】第一発明のトイレットペーパーホルダーを示す分解斜視図である。
【図２】トイレットペーパーホルダーの組み立て断面図である。
【図３】この発明の要部を示す一部拡大断面図である。
【図４】第２発明のトイレットペーパーホルダーを示す分解斜視図である。
【図５】同トイレットペーパーホルダーを側面から視た断面図である。
【図６】同図の要部拡大断面図である。
【図７】同トイレットペーパーホルダーを引出し板が引き出された状態で示す平面図である。
【図８】図７のＸ−Ｘ線矢視の断面図である。
【発明を実施するための形態】
【０００９】
本願では２つの独立項を備えた併合出願の形態をとり、共に巻戻し紙が動きの抑制された状態で切刃に臨まれる構成において両者は共通している。また、切刃の手前（後ろ）に巻戻し紙が掛かる帯高に高所片２５が立設されるが、ゴムなどの弾性材からなるもので、巻戻し紙が掛かる摩擦で引き曲がり（鎖線）、復帰する弾力で巻戻し紙を跳ね上げるので、紙先が摘まみやすく切り上げられ、切端が上向きかげんとなる（図２、図６）。
【００１０】
以下、本発明の実施の形態について説明する。
【実施例１】
【００１１】
まず図１ないし図５について説明すると、この発明のトイレットペーパーホルダーは、紙ロールＰを保持する本体１と、そのための軸となる芯材３と、ロールＰの上に反転する上カバー５と、上カバー５の上に反転する重り装置７とから構成される。
【００１２】
本体１は、背板９の両端に側板１１，１１を突設したもので、上には開閉蓋１３が取り付けられる。また、両側板１１，１１には、紙ロールＰの軸支溝１５と、上カバー５の軸受け溝１７とがそれぞれ対称に設けられる。
【００１３】
上カバー５は、金属板をプレス成型してなり、前端が上向きに屈折することにより引き切りの切刃１９となっているのに対して後端には前記軸受け溝１７に係る軸棒２１が設けられ、軸棒２１の両端がキャップ２２，２２（または袋ナット）で止められる。また、切刃１９の近くにはゴム等の弾性材からなるＬ字型断面の形材を接着することにより高所片２５が並列される。この高所片２５の手前には重り装置７の重りローラ２６が押えることになっており、ここで巻戻し紙２が押えられることにより、高所片２５の上端が支点となって、先端部２ａが摘み先として反転する（図２、図３）。
【００１４】
重り装置７は、上カバー５の後端部に一対の反転レバー８，８が連結片を介して軸支され、その両レバー８，８の先端間に挟んで回転可能に重りローラ２６が軸支される。そこで、巻戻し紙２をセットするときには、重り装置７を持ち上げて重りローラ２６の下をくぐらせる。この時、先端部を切刃１９の先に引き出してそこで引き切ることができ（図３）、そうすると、長い引出し紙２ｂを使用でき、しかも、高所片２５の先に摘み先２ａが残ることになる（言わば初期設定）。
【００１５】
初期設定が終わると、短い摘み先２ａが突き出ている整然とした状況で最初の利用者を迎え入れることができ、利用者が用を済ませたときには、その摘み先２ａを引きながら下げることにより必要な分の紙２ｂを千切りとることができ、その後には切刃１９で切られた残りが新たな摘み先２ａとして残ることになる（初期設定の繰り返し）。したがって、同じく次の利用者を迎え入れることができ、別途に手を加える必要は全くない。
【００１６】
紙ロールＰの支持については、側板１１に後ろ傾斜の軸支溝１５が形成され、後ろ傾斜部２９の後端に段落部３１を設けて後端での支持が安定するようにしてある。しかも、左右で対として平行であるので、傾斜部２９，２９で芯材３の凸軸３３，３３を前後位置違い（凸軸３３，３３間が狭くなる）にして溝に嵌ることができる。しかし、段落部３１，３１に落とし込むと前後の位置違いが生じなくなるので、特に外そうとしない限り、外れることはない。
【００１７】
また、上カバー５の軸支溝１７について、水平部３５の後端にＬ字型の反転部３７を設けたので、反転部３７で軸棒２１を前後することで乗込み口６の幅を調整できるようになっている。
【実施例２】
【００１８】
図４ないし図８は、主に第２発明となる実施例を示し、トイレットペーパーホルダーＨｂは、紙ロールＰを回転可能に保持するホルダー本体５１の上に、ボックス状体５３が着脱可能に搭載される。ここでは、紙ロールＰから前回転により引き出された巻戻し紙５５が蛇行経路を経て引き出され出口７０で切断されるようになっている。出口７０には出し入れ自在な引出し板６３が設けられ、ここにおいて切刃５９と高所片６１の共同により巻戻し紙５５が切断され、上向きに摘み先５５ａが残るようになっている。
【００１９】
ボックス状体５３は、両側板６２，６２が後面板６５と後部底板６７を介して一体化され、前端に底板６７が欠けて巻戻し紙５５の乗込入口５８を有する。そして、巻戻し紙５５は、底板６７、引出し板６３、押え６９、高所片６１などに蛇行で接触する摩擦により、移動に押えが働くようになっている。
【００２０】
上端のカバー板７３は、前端部開放に出口７０を開け後ろへ引っ込みにして側板６２，６２に接着され、下面に重しの押え６０が固着される。そこで、高所片６１の手前で巻戻し紙５５を引出し板６３の上に押え６０で押し下げると、巻戻し紙５５が高所片６１の上端に係るので、引きに対して制動が働き、これで切刃５９に巻戻し紙５５が切りに当たる態勢となる。なお、切刃５９は、２枚板になっており、本板の下端にビス止め片８０が取り付けられる。
【００２１】
引出し板６３は補助的に幅広であって補助板部６３ａが形成される。また、一側板６２にヒンジ７７で止めてあるので、図７に示すように、これを中心に転出および押しこみができる。巻戻し紙５５のセット時には、一旦開いた引出し板６３を閉じると、内部でその端を補助板部６３ａで巻戻し紙５５に押し付けることにより蛇行通路を構成できる（図５）。なお、蛇行は引出し板６３の段数で多段にセットできる。
【００２２】
高所片６１は、軟質ゴムでＬ字形の押出成形された長手部材が使用され、その半片が帯幅で起立になるよう下端面が引出し板６３に接着される。そこで、巻戻し紙５５を引いたときには、摩擦で引き曲げられ（図５二点鎖線）、切れた時の反力で切れ端が跳ね上がる。これで摘み先５５ａは次の利用者が引きやすく上向きかげんとなる（図６）。
【００２３】
引出し板６３は、前部壁７９に取り付けたもので、両側板６２，６２にスライド支持溝８１を有する。８３は底板６７の固定支持溝である。図面はヒンジ７７を中心とする反転出しであるが引出しのように平行に取り外すようにもできる。
【００２４】
なお、後面板６５はステンレスの薄い板であって、下端が垂下片となっており、ホルダー本体５１は、壁面や柱面にビスで取り付けられるが、それらの間に垂下片を差し込む細い隙間８７が設けられるので、差込みによりホルダー本体５１とボックス状体５３の一体化ができる。しかし、ホルダー本体５１とボックス状体５３を共通の側板にして一体化することもできる。
【符号の説明】
【００２５】
Ｈａ  第１発明のトイレットペーパーホルダー
Ｈｂ  第２発明のトイレットペーパーホルダー
Ｐ  ロール
１  ホルダー本体
２  巻戻し紙
２ａ  摘み先
５  上カバー
６  乗込み口
１９  切刃
２５  高所片
２６  重りローラ
５１  ホルダー本体
５３  ケース状体
５５  巻戻し紙
５５ａ  摘み先
５８  入口
５９  切刃
６０  押え
６１  高所片
６３  引出し板
６３ａ  補助板部
６７  底板
７０  出口
８１  支持溝
【図１】
2020179279.tif 000003
【図２】
2020179279.tif 000004
【図３】
2020179279.tif 000005
【図４】
2020179279.tif 000006
【図５】
2020179279.tif 000007
【図６】
2020179279.tif 000008
【図７】
2020179279.tif 000009
【図８】
2020179279.tif 000010